(57)【要約】【課題】蝶番ピンの着脱が専用工具を使用せず容易に行うことできるうえ電気機器収納箱の外側に蝶番ピンが位置する構造のものにあっても蝶番ピンを外して扉を外すことのできない蝶番を提供する。【解決手段】蝶番ピン１の頭部１１とは反対側の端部に形成した細頸部１２に係合するピン抜け止め具３を、嵌合部３０と腕部３２からなるものとしたうえ腕部３２の先端を電気機器収納箱の箱本体と扉の間に介入できる長さとする。【選択図】図１
2007211489.tif 000002
【特許請求の範囲】
【請求項１】
箱本体と扉を枢着する蝶番であって、蝶番ピンの端部に設けた着脱自在に設けたピン抜け止め具を、嵌合部と腕部からなるものとしたうえ腕部の先端を電気機器収納箱の本体と扉の間に介入できる長さとしたことを特徴とする蝶番。
【請求項２】
ピン抜け止め具を、蝶番ピンの細頸部の径より狭い開口部を持つ円弧状の嵌合部と前記開口部の開口両縁から張設した両腕部からなるものとした請求項１に記載の蝶番。
【発明の詳細な説明】
【技術分野】
【０００１】
本発明は、配電盤、分電盤等の電気機器、電子機器、通信機器などの収納箱の本体と扉を枢着する場合に容易に蝶番ピンを着脱でき扉を本体から取り外すことができる蝶番に関するものである。
【背景技術】
【０００２】
従来の蝶番ピンを着脱できる蝶番としては、図９に示すように蝶番ピン１０１の頭部１０２とは反対側の端部に設けた細頸部１０３にＥリング１０４を嵌合させたものが一般的である。しかし、これはＥリング１０４の着脱に専用工具を使用しなければならず、また、着脱作業も厄介であるという問題がある。
【０００３】
そこで、これを解決するものとして図１０に示すような、蝶番ピン１０１の頭部１０２とは反対側の端部に設けた細頸部１０３に、取手部１０５の両端に細頸部１０３の径より狭い開口部１０６ａを持つリング部１０６、１０６をそれぞれ設けた抜け止め具１１０を嵌合させたものがある（特許文献１参照）。ところが、この図１０に示すものは電気機器収納箱２００の外側に蝶番ピン１０１を位置する構造のものにあっては電気機器収納箱を屋外に設置した場合に悪戯により抜け止め具１１０を取り外されて蝶番ピン１０１を抜き取れて扉を外されるという問題がある。
【０００４】
【特許文献１】実開平５−４７２７７号公報
【発明の開示】
【発明が解決しようとする課題】
【０００５】
本発明は前記のような問題点を解決して、蝶番ピンの着脱が専用工具を使用せず容易に行うことできるうえ電気機器収納箱の外側に蝶番ピンが位置する構造のものにあっても蝶番ピンを外すことのできない蝶番を提供することを目的として完成されたものである。
【課題を解決するための手段】
【０００６】
本発明の蝶番は、箱本体と扉を枢着する蝶番であって、蝶番ピンの端部に設けた着脱自在に設けたピン抜け止め具を、嵌合部と腕部からなるものとしたうえ腕部の先端を電気機器収納箱の本体と扉の間に介入できる長さとしたものを基本の発明とする。そして、この発明において、ピン抜け止め具を、蝶番ピンの細頸部の径より狭い開口部を持つ円弧状の嵌合部と前記開口部の開口両縁から張設した両腕部からなるものとすることが好ましいものである。
【発明の効果】
【０００７】
前記のような本発明は、ピン抜け止め具を、嵌合部と腕部からなるものとしたうえ腕部の先端を電気機器収納箱の本体と扉の間に介入できる長さとしたので、抜け止め具の脱着が容易であり、蝶番を電気機器収納箱の本体側と扉側に分離して扉を本体から容易に外すことができるものである。
【０００８】
また、この蝶番を電気機器収納箱の本体と扉の枢着する場合に蝶番ピンを電気機器収納箱の外側に位置させて取り付け場合には、腕部の先端が電気機器収納箱の本体と扉の間に介入できる長さとしているので、扉を閉じた状態では抜け止め具を蝶番ピンから外すことができないものであるから、電気機器収納箱を屋外に設置した場合に悪戯により蝶番ピンを抜き取れて扉を外されるという問題も生じないものである。
【発明を実施するための最良の形態】
【０００９】
次に、本発明の好ましい実施の形態を図面に基づき説明する。
１は２枚の蝶番板２、２の各端部に互い違いに入り込むよう形成された筒状部２ａ、２ａに挿通して２枚の蝶番板２、２を枢支する蝶番ピンである。この蝶番ピン１は、一方の端部に前記筒状部２ａの一方の端面に係止する頭部１１を形成するとともに該頭部１１とは反対側の端部に細頸部１２を形成して、該端部にピンピン抜け止め具３を着脱自在に設けるものとしている。
【００１０】
３は前記細頸部１２に係合して蝶番ピン１が筒状部２ａ、２ａから抜け出ることの無いように前記筒状部２ａの他方の端面に臨ませたピン抜け止め具である。このピン抜け止め具３は、前記細頸部１２の径より狭い開口部３１を持つ嵌合部３０と前記開口部３１の開口両縁から張設した腕部３２、３２からなるものである。なお、図示のものは帯状のばね板を中央において内側を前記細頸部１２の外形と同一とした円形曲部に湾曲させて円弧状の嵌合部３０に形成して、該円弧状の嵌合部３０の細頸部１２の径より狭い開口部３１の開口両縁から折曲させて板状の腕部３２、３２を張設したものである。そして、両腕部３２、３２の先端を電気機器収納箱の箱本体２０１と扉２０２の間に介入できる長さに形成している。
【００１１】
このように構成されたものは、２枚の蝶番板２、２のうち箱本体側の蝶番板２を電気機器収納箱２００の箱本体２０１に取り付けるとともに扉側の蝶番板２を扉２０２に取り付け、蝶番板２、２の各端部に互い違いに入り込むよう形成された筒状部２ａ、２ａに蝶番ピン１を挿通して、頭部１１を筒状部２ａの一方の端面に係止するとともに該頭部１１とは反対側の端部に形成した細頸部１２にピン抜け止め具３を嵌合させて使用することは従来の蝶番と同様である。
【００１２】
そして本発明は、ピン抜け止め具３を細頸部１２の径より狭い開口部３１を持つ円弧状の嵌合部３０と前記開口部３１の開口両縁から張設した腕部３２、３２からなるものとしたので、このピン抜け止め具３を細頸部１２に嵌合するには腕部３２、３２の先端間により細頸部１２を挟み込みこんだうえ押し込めば開口部３１が押し広げられて円弧状の嵌合部３０が細頸部１２に位置した後に開口部３１が旧状に復帰して細頸部１２の径より狭くなり円弧状の嵌合部３０が細頸部１２に離脱することなく容易に嵌合されるものである。
【００１３】
また、扉の左右開きを反転させるためや、扉への機器取り付けのために扉２０２を箱本体２０１から取り外す場合には、ピン抜け止め具３の腕部３２、３２の先端を手指やドライバー等の工具により押圧すれば開口部３１が開拡されて円弧状嵌合部３０が細頸部１２から離脱してピン抜け止め具３を蝶番ピン１から外すことができ蝶番ピン１を蝶番板２、２の筒状部２ａ、２ａから抜き取り蝶番を電気機器収納箱の本体側と扉側に分離して扉２０２を箱本体２０１から容易に外すことができるものである。
【００１４】
しかし本発明においては、腕部３２、３２の先端を電気機器収納箱の箱本体２０１と扉２０２の間に介入できる長さに形成しているので、扉２０２を閉じた状態では腕部３２、３２は外部に露出せず手指でつまんだり、ドライバー等の工具で押圧することができなくなり、ピン抜け止め具３を細頸部１２から外すことができないので、電気機器収納箱を屋外に設置した場合に悪戯により蝶番ピン１を抜き取られて扉を外されるという虞がなくセキュリティが向上するものである。仮に図５Ｃのように扉が閉まっている時にピン抜け止め具３の円弧状の嵌合部３０を引っ張って外そうとしても、ピン抜け止め具３は扉が開いている定常状態（図５Ｂ）から扉２０２と箱本体２０１に挟まれて（図５Ｃ）弾性変形して、腕部３２、３２の隙間が狭くなっているので、ピン抜け止め具３を外すことができないものである。
【００１５】
なお、前記図示の実施形態はピン抜け止め具３を帯状のばね板よりなるものとしているが、バネ性のある強靭なプラスチックにより一体成型したものであっても、細頸部１２を幅狭として針金状のばね材よりなるものとしてもよい。また、蝶番ピン１を一方の端部に頭部１１を形成するものとしているが、ピン抜け止め具３を着脱自在に設けるものとしてもよい。また、ピン抜け止め具３は強靭で弾性のある合成樹脂製のものが安価に量産でき好ましいが金属製のものでもあってもよい。また、腕部３２は嵌合部３０の両側から張設して２本設けたものであるが、図８に示すように嵌合部３０の一方の片側から１本の腕部３２だけを張設したものとしてもよい。
【図面の簡単な説明】
【００１６】
【図１】本発明の実施形態を扉を開いて示す要部の斜視図。
【図２】本発明の実施形態を扉を閉じて示す要部の斜視図。
【図３】本発明の実施形態を扉を閉じて示す要部の平面図。
【図４】本発明の実施形態を扉を閉じて示す斜視図。
【図５】本発明の実施形態の要部を示す図であり、（Ａ）はピン抜け止め具を取り付ける工程を示す図、（Ｂ）は扉を開いた状態を示す図、（Ｃ）は扉を閉じた状態を示す図。
【図６】蝶番ピンと抜け止め具の関係を示す図であり、（Ａ）は分離した状態を示す斜視図、（Ｂ）は嵌合した状態を示す斜視図。
【図７】抜け止め具を示す図であり、（Ａ）は側面図、（Ｂ）は平面図。
【図８】抜け止め具の他例を示す斜視図。
【図９】従来例を示す斜視図。
【図１０】他の従来例を示す斜視図。
【符号の説明】
【００１７】
１  蝶番ピン
11  頭部
12  細頸部
３  ピン抜け止め具
30  嵌合部
31  開口部
32  腕部
【図１】
2007211489.tif 000003
【図２】
2007211489.tif 000004
【図３】
2007211489.tif 000005
【図４】
2007211489.tif 000006
【図５】
2007211489.tif 000007
【図６】
2007211489.tif 000008
【図７】
2007211489.tif 000009
【図８】
2007211489.tif 000010
【図９】
2007211489.tif 000011
【図１０】
2007211489.tif 000012